(57)【要約】【課題】  不揮発性メモリに過剰な記憶容量を必要とせず、セキュリティを確実に保証することのできる携帯端末を提供すること。【解決手段】  制御部２１が認証情報設定モードの処理を行う間にタッチセンサ１６によって検知された押圧力の位置変化の経路を筆跡として携帯端末１の不揮発性メモリ２４に記憶させ、筐体部５，７をロックする固定手段９の作動後にタッチセンサ１６によって検知される押圧力の位置変化の経路と不揮発性メモリ２４に記憶されている筆跡とを比較し、両者が一致する場合に限って筐体部５，７のロックを解除する。キー配置面５ａ上のキー２，３，４の操作をロック状態において完全に禁止することでセキュリティを確保すると共に、指紋照合に代えて筆跡照合を利用することで照合に必要とされるデータ量を削減し、他のセキュリティ手段との組み合わせを容易とする。【選択図】図１
2008092081.tif 000002
【特許請求の範囲】
【請求項１】
主要なキーを一面に配置した主筐体部と、メインディスプレイを有する副筐体部と、前記主筐体部の前記一面に前記副筐体部を重合させた状態で前記主筐体部に前記副筐体部を固定する固定手段と、携帯端末を全体的に制御する制御部とを有し、前記主筐体部の前記一面に前記副筐体部を重合させて収納状態とする一方、前記主筐体部の前記一面から前記副筐体部を退避させて使用状態とするようにした携帯端末であって、
前記主筐体部の前記一面に前記副筐体部を重合させた状態で外部に露出する主筐体部もしくは副筐体部の表面に配備されたタッチセンサと、
前記主要なキーの一部によって構成される設定モード切替手段から入力されるモード切替指令を検知して前記制御部を認証情報設定モードの処理に移行させる設定モード移行手段と、
前記制御部が認証情報設定モードにある間に前記タッチセンサによって時系列的に検知される押圧力の位置変化の経路を筆跡として携帯端末の不揮発性メモリに記憶させる認証情報設定手段と、
前記認証情報設定手段の作動後に前記固定手段を作動させるロック手段と、
前記固定手段の作動後に前記タッチセンサによって時系列的に検知される押圧力の位置変化の経路と前記メモリに記憶されている筆跡とを比較し、両者が一致する場合に限って前記固定手段の作動を解除するアンロック手段とを備えたことを特徴とする携帯端末。
【請求項２】
前記主筐体部と前記副筐体部とが開閉可能に接続されていることを特徴とする請求項１記載の携帯端末。
【請求項３】
前記主筐体部の前記一面に前記副筐体部を重合させた状態で前記主筐体部の前記一面と前記副筐体部のメインディスプレイとが対面するように構成されていることを特徴とする請求項２記載の携帯端末。
【請求項４】
前記主筐体部と前記副筐体部とがスライド可能に接続されていることを特徴とする請求項１記載の携帯端末。
【発明の詳細な説明】
【技術分野】
【０００１】
本発明は、携帯端末の改良、特に、携帯端末のセキュリティを向上させるための改良に関する。
【背景技術】
【０００２】
携帯電話等を始めとする携帯端末のセキュリティ機能としては、暗証番号を利用したもの、携帯端末と一体に取り付けられたカメラの顔認証機能を利用したもの、携帯端末と一体に取り付けられた指紋センサを利用したものが公知である。
【０００３】
しかし、何れのものも、電話番号等を記憶したアドレス帳や送受信の対象となった電子メール等の読み出しをソフトウェア上で禁止するものに過ぎない。
【０００４】
ほぼ全ての機能に対して暗証番号等による制限を加えるようにした携帯端末もあるが、そのようなものであっても警察や消防等に関連する緊急呼出のためのキー操作は許容されるようになっており、また、暗証番号を利用してロック操作を行うものにおいては、ロックの解除に必要とされるテンキーの入力操作自体は許容されている。
【０００５】
従って、この種のセキュリティ機能を用いて携帯端末をロックしたとしてもテンキー，十字キー，決定キー等の操作を完全に禁止することは困難であり、何らかの方法でロックの解除方法がわかった場合に携帯端末の内部データがハッキングされやすいといった問題がある。
【０００６】
また、セキュリティをかけられる部分が限られているため、他人がディスプレイを通じて何らかの情報を見る可能性があった。
【０００７】
携帯端末に対する操作を完全に禁止できるセキュリティ構造としては、認証手段としての指紋センサと機械的なロック手段を利用して携帯端末の折り畳み状態を保持することで携帯端末に対するキー操作の一切を禁止するようにしたものが特許文献１として提案されているが、このものは、指紋データの記憶や比較のために記憶容量の大きな不揮発性メモリと高度なアルゴリズムが必要とされる。従って、不揮発性メモリに必要とされる記憶容量が増大するといった弊害があり、携帯端末に実装される制御部のマイクロプロセッサの処理能力や不揮発性メモリの記憶容量の点からみて、他のセキュリティ手段、例えば、暗証番号を利用したセキュリティ手段やカメラの顔認証機能を利用したセキュリティ手段と組み合わせて利用することは難しい。
【０００８】
【特許文献１】特開２００５−１２４２５号公報（段落００２０）
【発明の開示】
【発明が解決しようとする課題】
【０００９】
そこで、本発明の課題は、前記従来技術の不都合を改善し、不揮発性メモリに過剰な記憶容量を必要とせず、セキュリティを確実に保証することのできる携帯端末を提供することにある。
【課題を解決するための手段】
【００１０】
本発明の携帯端末は、主要なキーを一面に配置した主筐体部と、メインディスプレイを有する副筐体部と、前記主筐体部の前記一面に前記副筐体部を重合させた状態で前記主筐体部に前記副筐体部を固定する固定手段と、携帯端末を全体的に制御する制御部とを有し、前記主筐体部の前記一面に前記副筐体部を重合させて収納状態とする一方、前記主筐体部の前記一面から前記副筐体部を退避させて使用状態とするようにした携帯端末であり、前記課題を達成するため、特に、
前記主筐体部の前記一面に前記副筐体部を重合させた状態で外部に露出する主筐体部もしくは副筐体部の表面に配備されたタッチセンサと、
前記主要なキーの一部によって構成される設定モード切替手段から入力されるモード切替指令を検知して前記制御部を認証情報設定モードの処理に移行させる設定モード移行手段と、
前記制御部が認証情報設定モードにある間に前記タッチセンサによって時系列的に検知される押圧力の位置変化の経路を筆跡として携帯端末の不揮発性メモリに記憶させる認証情報設定手段と、
前記認証情報設定手段の作動後に前記固定手段を作動させるロック手段と、
前記固定手段の作動後に前記タッチセンサによって時系列的に検知される押圧力の位置変化の経路と前記メモリに記憶されている筆跡とを比較し、両者が一致する場合に限って前記固定手段の作動を解除するアンロック手段とを備えたことを特徴とする構成を有する。
【００１１】
制御部が認証情報設定モードにある間にタッチセンサによって検知された押圧力の位置変化の経路を筆跡として不揮発性メモリに記憶させ、この筆跡と固定手段の作動後にタッチセンサによって検知される押圧力の位置変化の経路とを比較し、両者が一致する場合に限って固定手段の作動を解除するようにしたので、認証手段として指紋センサを利用する場合と比べ、認証に必要とされるデータの記憶容量が少なくて済み、認証情報の比較に必要とされるアルゴリズムも簡略化される。
不揮発性メモリに記憶された筆跡と固定手段の作動後にタッチセンサによって検知される押圧力の位置変化の経路とが一致しない限り、主筐体部の一面から副筐体部を退避させることはできず、この一面に配置された主要なキー、即ち、テンキー，十字キー，決定キー等に第三者が触れることは一切できないので、携帯端末のセキュリティを確実に保証することができる。
また、認証情報となる筆跡の設定に必要とされる認証情報設定モードへの移行は、主要なキーの一部によって構成される設定モード切替手段から入力されるモード切替指令を検知した場合にのみ許容される。つまり、主要なキーを配置した主筐体部の一面から副筐体部を退避させた使用状態においてのみ不揮発性メモリへの認証情報の記憶が許容されるようになっているので、第三者つまり副筐体部を退避させて主筐体部の主要なキーを操作することができない者による認証情報の書き換えも確実に防止することができる。
データの記憶容量が軽減され認証情報の比較に必要とされるアルゴリズムも簡略化される結果、携帯端末に実装される制御部のマイクロプロセッサの処理能力や不揮発性メモリの記憶容量の範囲内において、更に他のセキュリティ手段、例えば、従来公知の暗証番号を利用したセキュリティ手段やカメラの顔認証機能を利用したセキュリティ手段と組み合わせて併用することも可能である。
【００１２】
主筐体部と副筐体部とを開閉可能に接続した場合、この携帯端末は折り畳み式の携帯端末となる。
【００１３】
このような構成を適用した場合、主筐体部に副筐体部を固定する固定手段は、折り畳まれた携帯端末の開閉操作を禁止し、主筐体部の前記一面に副筐体部を重合させた収納状態を保持する。
【００１４】
主筐体部と副筐体部とを開閉可能に接続して折り畳み式の携帯端末とした場合、特に、主筐体部の前記一面に副筐体部を重合させた状態で主筐体部の前記一面と副筐体部のメインディスプレイとが対面するような構成とすることが望ましい。
【００１５】
主筐体部に配置された主要なキーの操作に加え、メインディスプレイの閲覧も完全に禁止されることになるので、第三者によるメインディスプレイの覗き込みも確実に防止することができる。
【００１６】
また、主筐体部と副筐体部とをスライド可能に接続した場合、この携帯端末はスライド式の携帯端末となる。
【００１７】
このような構成を適用した場合、主筐体部に副筐体部を固定する固定手段は、収納状態とされた携帯端末の副筐体部のスライド操作を禁止して、主筐体部の前記一面に副筐体部を重合させた収納状態を保持する。
【発明の効果】
【００１８】
本発明の携帯端末は、制御部が認証情報設定モードにある間にタッチセンサによって検知された押圧力の位置変化の経路を筆跡として携帯端末の不揮発性メモリに記憶させ、この筆跡と固定手段の作動後にタッチセンサによって検知される押圧力の位置変化の経路とを比較し、両者が一致する場合に限って固定手段の作動を解除して主筐体部の一面から副筐体部を退避させられる構成とし、主筐体部に配置された主要なキー、即ち、テンキー，十字キー，決定キー等に筆跡を知らない第三者が触れることを完全に禁止したので、携帯端末のセキュリティを確実に保証することができる。
また、認証情報となる筆跡の設定に必要とされる認証情報設定モードへの移行は、主要なキーの一部によって構成される設定モード切替手段つまり主筐体部の一面から副筐体部を退避させない限り触れることのできないキーによって入力されるモード切替指令を検知した場合にのみ許容されようになっているので、第三者による認証情報の書き換えも確実に防止することができる。
更に、認証手段として指紋センサを利用する場合と比べ認証に必要とされるデータの記憶容量が少なくて済み、認証情報の比較に必要とされるアルゴリズムも簡略化される結果、携帯端末に実装される制御部のマイクロプロセッサの処理能力や不揮発性メモリの記憶容量の範囲内において、更に他のセキュリティ手段、例えば、従来公知の暗証番号を利用したセキュリティ手段やカメラの顔認証機能を利用したセキュリティ手段と組み合わせて併用することも可能となった。
【発明を実施するための最良の形態】
【００１９】
次に、図面を参照して本発明を実施するための最良の形態について具体例を挙げて説明する。
【００２０】
図１は携帯端末の一種である折り畳み式の携帯電話に本発明を適用した場合の一実施形態について示した三面図であり、図１（ａ）は同実施形態の折り畳み式の携帯電話１を開いた使用状態で示した平面図、図１（ｂ）は同携帯電話１を閉じた収納状態で示した正面図、図１（ｃ）は携帯電話１を閉じた収納状態で示した平面図である。
【００２１】
図１（ａ）に示される通り、この携帯電話１は、テンキー２，十字キー３，決定キー４等の主要なキーを一面に配置した主筐体部５とメインディスプレイ６を有する副筐体部７とを備え、主筐体部５の一端部と副筐体部７の一端部とがヒンジ８を介して開閉可能に接続されている。
【００２２】
ヒンジ８を取り付けた主筐体部５の他端部には、主要なキーを配置した主筐体部５の一面５ａ（以下、キー配置面５ａという）に副筐体部７を重合させた状態で主筐体部５に副筐体部７を固定するための固定手段９の主要部を構成するロック機構９ａが設けられ、また、ヒンジ８を取り付けた副筐体部７の他端部には、固定手段９の一部を構成する係止片９ｂが設けられている。固定手段９の主要部を構成するロック機構９ａは、図２に示されるように、係止片９ｂに穿設された孔１０に係脱可能なロッド部材１１と該ロッド部材１１を軸方向に進退させて係止片９ｂの孔１０に係脱させるソレノイドあるいはモータ等のアクチュエータ１２を備える。
【００２３】
図１（ａ）に示されるようにして副筐体部７を開き主筐体部５のキー配置面５ａから副筐体部７を退避させた状態が該携帯電話１の使用状態に相当する。また、図１（ｂ）あるいは図１（ｃ）に示されるように、副筐体部７を閉じて主筐体部５のキー配置面５ａに副筐体部７を重合させた状態が該携帯電話１の収納状態に相当し、この状態で、主筐体部５のキー配置面５ａと副筐体部７のメインディスプレイ６とが対面する。つまり、副筐体部７を閉じた状態ではメインディスプレイ６は外部からは見えず、また、キー配置面５ａ上に配置されたテンキー２，十字キー３，決定キー４も外部から操作することができない。
【００２４】
ヒンジ８は副筐体部７が主筐体部５に対して接離する方向の揺動のみを許容する回転自由度１のヒンジでもよいし、あるいは、この揺動動作に副筐体部７の表裏の反転を許容するスイヴェル動作を加えた回転自由度２のヒンジ（所謂ユニバーサルヒンジ）でも構わない。
但し、携帯電話１を収納状態とした際にメインディスプレイ６が外部から覗かれることを防止する関係上、副筐体部７側の係止片９ｂは、メインディスプレイ６を設置した面と同じ側の面に設け、副筐体部７を閉じて携帯電話１を収納状態とした状況下で副筐体部７のメインディスプレイ６が主筐体部５のキー配置面５ａで覆われるようにするべきである。
【００２５】
主筐体部５のキー配置面５ａに副筐体部７を重合させた状態で外部に露出する副筐体部７の表面のうち副筐体部７の裏側の面には、撮影用のカメラ１３とサブディスプレイ１４および着信表示ＬＥＤ１５に加えてタッチセンサ１６が配置され、また、主筐体部５の側面には、携帯電話１を収納状態とした状況下において限られた範囲の操作を実現するためのサイドスイッチ１７が設けられている。
図１の例ではサブディスプレイ１４とタッチセンサ１６とが独立した構成となっているが、ディスプレイ上に透明なフィルム状のタッチセンサを積層して構成したタッチセンサ付きディスプレイが公知であり、サブディスプレイ１４とタッチセンサ１６に代えて、このような一体型のタッチセンサ付きディスプレイを利用してもよい。サイドスイッチ１７は携帯電話１を操作するために必要とされる主要なキー、つまり、通話やデータの送受信およびデータの入力や保存済みデータの読み出し等に関連する携帯電話１本来の機能を実現する際に必要とされるキーの範疇には含まれない。
【００２６】
図１（ａ）中の符号１８は音声入力用のマイク、符号１９はスピーカ、符号２０はアンテナである。
【００２７】
図３は携帯電話１を全体的に制御する制御部２１の構成の概略を示した機能ブロック図である。
【００２８】
メインディスプレイ６およびサブディスプレイ１４は液晶モニタ等からなり、このうち、メインディスプレイ６は、電話番号の選択表示や着信履歴等の表示、更には、作成過程にあるメールや受信メールの表示等に利用され、また、サブディスプレイ１４は、カメラ１３を利用した自画撮り撮影の際の画像確認等に利用される。
【００２９】
カメラ制御部２２は、マイクロプロセッサ（ＣＰＵ）を備えた制御部２１からの指令を受けてカメラ１３を駆動し、カメラ１３で撮像された画像は、画像処理部２３で色補正等の処理を施されてから制御部２１に読み込まれ、不揮発性メモリからなるデータメモリ部２４に格納される。データメモリ部２４には、画像データの他にもメールのテキストデータや登録済電話番号および電子メールアドレス等が記憶される。
【００３０】
更に、本実施形態においては、認証情報設定モードにおいてタッチセンサ１６が検知した押圧力の位置変化の経路が、データメモリ部２４に正当なユーザの筆跡として記憶されるようになっている。
【００３１】
従来と同様、マイク１８から入力された音声は音声処理部２５でＡ／Ｄ変換されて制御部２１に転送され、更に、制御部２１で通信形式データに変換された後、送受信部２６で変調されて内蔵式もしくは伸縮式のアンテナ２０を介して外部に送信される。
【００３２】
また、アンテナ２０で受信された通信電波は送受信部２６で復調されて制御部２１に転送され、音声データに変換されてから、音声処理部２５でＤ／Ａ変換等の処理操作を受けてスピーカ１９から音声として出力される。
【００３３】
テンキー２は電話番号の入力操作等の場合には数値入力用のキーとして使用され、また、電子メールの作成等に際してはテキストデータ入力用のカナキーとして利用される。十字キー３および決定キー４は所謂メニュー選択キーやデータエントリーキー等としての機能を有する。
【００３４】
制御部２１におけるＣＰＵの処理を認証情報設定モードの処理へと移行させるための設定モード切替手段は、主筐体部５のキー配置面５ａに配置された主要なキーの一部であるテンキー２によって構成されている。
【００３５】
更に、この実施形態では、暗証番号を利用した公知の認証技術を転用し、データメモリ部２４に予め正当なユーザの暗証番号を記憶させるようにしており、テンキー２のコンビネーション操作によって改めて何らかの番号が入力された際に、データメモリ部２４に予め記憶されている暗証番号と改めて入力された番号との比較がＣＰＵによって行われ、両者が一致した場合に限り、この判定結果がモード切替指令としてＣＰＵによって認識される。つまり、設定モード移行手段として機能するＣＰＵが、モード切替指令に相当する暗証番号一致の判定結果の生成の有無を見張る処理を定常的に繰り返し実行しており、モード切替指令に相当する暗証番号一致の判定結果の生成を検知した時点で、認証情報設定モードの処理へと移行するようになっている。
【００３６】
ＲＯＭ２７には、通話や電子メールの送受信さらには画像の撮影ならびに画像の再生等に必要とされる処理を実行するための制御プログラムに加え、本実施形態においては、特に、制御部２１のＣＰＵを設定モード移行手段，認証情報設定手段，ロック手段およびアンロック手段として機能させるために必要とされる制御プログラムが格納されている。
【００３７】
また、開閉センサ２８は主筐体部５と副筐体部７が完全に閉じ合わされているか否かを判定するためのもので、ロック機構９ａのアクチュエータ１２の動作、即ち、固定手段９におけるロック／アンロック動作が許容されるのは、主筐体部５と副筐体部７が完全に閉じ合わされていることが開閉センサ２８によって確認された場合に制限される。
【００３８】
次に、図４のフローチャートを参照して携帯電話１の開閉およびロック／アンロック操作について具体的に説明する。
【００３９】
まず、ユーザが携帯電話１の副筐体部７を開き（ステップａ１）、制御部２１のＣＰＵを認証情報設定モードの処理に移行させるための操作を実行する（ステップａ２）。
【００４０】
この操作は、前述した通り、テンキー２のコンビネーション操作によって暗証番号を入力することによって行われ、この時点でユーザが入力した暗証番号が予めデータメモリ部２４に記憶させておいた暗証番号と一致した場合に限り、認証情報設定モードへの移行が許容される。つまり、設定モード移行手段として機能するＣＰＵは、暗証番号の比較結果が一致となった場合に限り、この判定結果をモード切替指令として認識して認証情報設定モードの処理へと移行する。
従って、携帯電話１が開かれた状態のまま放置されたとしても、第三者が認証情報設定モードの処理を勝手に起動して、正当なユーザが知らない間に別の筆跡を改めて認証情報として設定するといった悪戯は殆ど不可能である。
【００４１】
認証情報設定モードの処理に移行したＣＰＵは、メインディスプレイ６に「端末を閉じてサイドスイッチを押してください」等のガイダンスメッセージを表示した後、開閉センサ２８やサイドスイッチ１７からの信号を確認しつつ、ユーザによって携帯電話１の収納操作（折り畳み操作）やサイドスイッチ１７の押圧操作行われるのを待機する。
【００４２】
そして、ユーザが携帯電話１を折り畳んでサイドスイッチ１７を操作すると（ステップａ３）、ＣＰＵは、携帯電話１を閉じた際にユーザの正面側に位置するサブディスプレイ１４に「図形又は文字を入力して下さい」等のガイダンスメッセージを表示して、タッチセンサ１６からの信号の読み込みを開始する（ステップａ４）。
【００４３】
ユーザは、このガイダンスメッセージを参照し、タッチセンサ１６をなぞるようにして図形又は文字等の手書き入力を実行し（ステップａ５）、また、認証情報設定手段として機能するＣＰＵは、タッチセンサ１６によって時系列的に検知される押圧力の位置変化、つまり、ユーザの指先の当接位置の変化の経路を、筆跡としてバッファに一時記憶する（ステップａ６）。
なお、タッチセンサを利用した筆跡の読み込み処理については既に公知であり、各種のソフトウェアが既に提供されている。
【００４４】
この実施形態では、特に、携帯電話１が閉じられてサイドスイッチ１７が操作されたことを確認してからタッチセンサ１６を稼動させて認証情報設定モードの処理（ステップａ４以降の処理）を開始させるようにしているので、携帯電話１を折り畳む際にユーザが誤ってタッチセンサ１６に触れたとしても、この接触が筆跡の一部として読み込まれるといった心配はない。
【００４５】
次いで、ＣＰＵは、サブディスプレイ１４に「確認のため同じ図形又は文字を入力して下さい」等のガイダンスメッセージを表示し（ステップａ７）、ユーザが此れに応えて図形又は文字等の手書き入力を再び実行すると、ＣＰＵは、前記と同様にして筆跡をバッファの他の記憶領域に一時記憶し（ステップａ８）、新たに一時記憶された筆跡と前述のステップａ６の処理で一時記憶された筆跡との一致不一致を判定する（ステップａ９）。
【００４６】
これらの筆跡が一致しない場合には、ＣＰＵは、前記と同様にしてステップａ４〜ステップａ９の処理をリトライ処理として繰り返し実行し、最終的に、再現性のある筆跡の入力が確認されてステップａ９の判定結果が真となると、認証情報設定手段として機能するＣＰＵが、この時点でバッファに一時記憶している筆跡をデータメモリ部２４に正当なユーザの筆跡として記憶させ、また、ロック手段として機能するＣＰＵは、固定手段９の主要部をなすロック機構９ａのアクチュエータ１２を作動させてロッド部材１１を係止片９ｂの孔１０に突入させ、主筐体部５のキー配置面５ａに副筐体部７が重合された状態を維持して主筐体部５に副筐体部７を固定する（ステップａ１０）。
【００４７】
そして、改めて携帯電話１を開く必要が生じた場合には、ユーザはサイドスイッチ１７を操作し、ＣＰＵにロック解除モードの処理を開始させる（ステップａ１１）。
【００４８】
ロック解除モードの処理を開始したＣＰＵは、サブディスプレイ１４に「ロック時に使用したものと同じ図形又は文字を入力して下さい」等のガイダンスメッセージを表示した後、タッチセンサ１６からの信号の読み込みを開始する（ステップａ１２）。
【００４９】
そして、このガイダンスメッセージを参照したユーザがタッチセンサ１６をなぞるようにして図形又は文字等の手書き入力を実行すると、アンロック手段として機能するＣＰＵが、タッチセンサ１６によって時系列的に検知される押圧力の位置変化、つまり、ユーザの指先の当接位置の変化の経路を筆跡としてバッファに一時記憶し（ステップａ１３）、新たに一時記憶された筆跡とデータメモリ部２４に記憶されている正当なユーザの筆跡との一致不一致を判定する（ステップａ１４）。
【００５０】
そして、両者が一致した場合に限り、アンロック手段として機能するＣＰＵが、ロック機構９ａのアクチュエータ１２を非作動の状態に戻してロッド部材１１を係止片９ｂの孔１０から退避させ、主筐体部５に対する副筐体部７の固定状態を解除する（ステップａ１５）。
【００５１】
また、ステップａ１３の処理で新たに一時記憶された筆跡とデータメモリ部２４に記憶されている筆跡とが一致しない場合には、アンロック手段として機能するＣＰＵは、筆跡の入力操作が正当なユーザとは異なる第三者によって行われているものと見做し、固定状態の解除を非実行とする（ステップａ１６）。
【００５２】
正当なユーザが筆跡の入力操作を行った場合であっても、必ずしも１回の入力操作で適切な筆跡が入力されるとは限らないが、この実施形態では、携帯電話１を閉じた状態におけるサイドスイッチ１７の操作によってロック解除モードの処理（ステップａ１３以降の処理）を強制的に起動させるようになっているので、サイドスイッチ１７の再操作によって正当なユーザによる筆跡のリトライ入力が許容され、正当なユーザであれば、仮に、筆跡の入力を何回か失敗した場合であっても、確実に携帯電話１のロック状態を解除することができる。
【００５３】
当然、正当なユーザとは異なる第三者が筆跡のリトライ入力を行なうことも可能であるが、正当なユーザは、認証情報設定モードの処理において任意の図形あるいは文字等を使用して筆跡を入力しているので、第三者が偶然の一致によって適正な筆跡を入力して携帯電話１のロック状態を解除するといった可能性は殆どない。
【００５４】
この実施形態では、携帯電話１をロックした収納状態においてサイドスイッチ１７の操作を検知してからタッチセンサ１６の稼動とロック解除モードの処理を開始させるようにしているが、これは専ら消費電力の節減のためである。
前述した通り、偶然の一致によって適正な筆跡が入力されるといった可能性は殆どないので、消費電力の点さえ問題視しなければ、携帯電話１を閉じた状態においてタッチセンサ１６を常時稼動状態とし、前述のステップａ１３以降の処理を繰り返し実行して適切な筆跡の入力を待ち受けるような構成としても構わない。
【００５５】
この実施形態では、副筐体部７を閉じて主筐体部５のキー配置面５ａに副筐体部７を重合させた状態を保持して固定手段９によって副筐体部７が主筐体部５に固定されるようになっているので、携帯電話１をロックして非使用の収納状態とした状況下においてはテンキー２，十字キー３，決定キー４といった主要なキーに触れることは一切できず、また、主筐体部５のキー配置面５ａと対面したメインディスプレイ６を覗き見ることも全くできない。
【００５６】
携帯電話１をロックして収納状態とした状況下であっても第三者がサイドスイッチ１７を操作することはできるが、このサイドスイッチ１７には、ロック解除のための認証情報となる筆跡の入力を許容する処理を開始させる機能しか与えられていないので、このサイドスイッチ１７を如何様に操作しようとも、適切な筆跡が入力されない限り、固定手段９のロックを解除することはできず、従って、第三者が携帯電話１のデータメモリ部２４に保存されている各種のデータをハッキングしたりメインディスプレイ６を覗き見たりすることは事実上不可能である。
【００５７】
但し、サイドスイッチ１７は、携帯電話１を閉じる際の誤接触が筆跡の一部として読み込まれる不都合やタッチセンサ１６の長時間稼動による消費電力の無駄を防止するための手段であり、必ずしも構成上の必須要件ではなく、これを省略した構成とすることも可能である。
【００５８】
前述した通り、認証情報となる筆跡をデータメモリ部２４に登録できるのは、固定手段９のロック解除が成功して携帯電話１が使用状態に開かれた場合のみであり、更に、実際に新たな筆跡をデータメモリ部２４に登録できるのは、ユーザがテンキー２を適切なコンビネーションで操作して暗証番号を入力した場合に限られるから、仮に、ユーザが携帯電話１を使用状態のまま放置したとしても、第三者が認証情報設定モードの処理を勝手に起動して正当なユーザが知らない間に別の筆跡を改めて認証情報として設定するといった悪戯は不可能である。つまり、他人の悪戯によって自分の携帯電話１を開けなくなるといったような問題は全く発生しない。
【００５９】
但し、携帯電話１をロックした収納状態においてはキー配置面５ａ上のキーに触れることは一切できないので、認証情報設定モードの処理の開始に際して暗証番号の入力操作を行ってユーザの真贋を判定する必要は必ずしもなく、ユーザが携帯電話１を使用状態のまま放置したりロックを掛けずに収納状態で放置するといった問題さえなければ、キー配置面５ａ上に配置された何れかのキーの操作によって直ちに認証情報設定モードの処理が開始されるようにしても構わない。
【００６０】
以上に述べた通り、図形や文字等を描く際のユーザの筆跡を認証情報として利用しているため、認証手段として指紋を利用する場合と比べ、認証に必要とされるデータの記憶容量が少なくて済む。この結果、データメモリ部２４の記憶領域に更に別の認証データを重複して記憶することができ、また、認証情報の比較に必要とされるアルゴリズムも指紋照合の場合と比較して簡略化されるので、ＲＯＭ２７に更に別の照合用プログラムを格納する余裕も生じる。
具体的には、従来公知の他のセキュリティ手段、例えば、暗証番号の一致不一致を利用したセキュリティ手段やカメラの顔認証機能を利用した顔画像の一致不一致を利用したセキュリティ手段等と本実施形態の筆跡利用によるセキュリティ手段とを組み合わせて固定手段９のロック／アンロック操作を行うことができ、このように、二重，三重のセキュリティ対策を施すことでデータのハッキング等に関わる安全性が更に向上する。
【００６１】
更に別の実施形態について簡単に説明する。図５はスライド式の携帯電話に本発明を適用した場合の一実施形態について示したもので、図５（ａ）は同実施形態のスライド式の携帯電話１’をスライドさせて開いた使用状態で示した平面図、図５（ｂ）は同携帯電話１’を閉じた収納状態で示した右側面図、図５（ｃ）は同携帯電話１’をスライドさせて開いた使用状態で示した右側面図である。
【００６２】
図５（ａ）に示される通り、この携帯電話１’は、テンキー２’等の主要なキーを一面に配置した主筐体部５’とメインディスプレイ６’を有する副筐体部７’とを備え、図示しない公知のスライド機構を介して主筐体部５’と副筐体部７’とがスライド可能に接続されている。
【００６３】
主筐体部５’と副筐体部７’との間には、主筐体部５’のキー配置面５ａ’に副筐体部７’を重合させた状態で主筐体部５’に副筐体部７’を固定するための固定手段９’が設けられている。この固定手段９’は主筐体部５’側のロック機構９ａ’と副筐体部７’側の係止片９ｂ’からなり、そのパーツ構成は基本的に前述した図２の固定手段９と同等であるが、図５の実施形態においては、係止片９ｂ’が主筐体部５’の背面と面一となるように埋設されており、この係止片９ｂ’に主筐体部５’の法線方向の孔が穿設され、ロック機構９ａ’側のロッド部材が係止片９ｂ’の孔に侵退することによって主筐体部５’と副筐体部７’との間のロック／アンロック操作が行われるようになっている。
【００６４】
この実施形態では、主筐体部５’のキー配置面５ａ’に副筐体部７’を重合させた状態で外部に露出する副筐体部７’の表面のうち副筐体部７’の表側の面に、タッチセンサ１６’とメインディスプレイ６’が配置され、また、主筐体部５’の側面に、携帯電話１’を収納状態とした状況下で限られた範囲の操作を実現するためのサイドスイッチ１７’が設けられている。
【００６５】
図５（ａ）中の符号１８’はマイク、符号１９’はスピーカ、符号２０’はアンテナである。
【００６６】
携帯電話１’を全体的に制御する制御部２１’の構成は図６に示す通り基本的に図３の制御部２１と同等であるが、この実施形態の携帯電話１’はサブディスプレイ，カメラ，カメラ制御部を備えていない。図６中のアクチュエータ１２’はロック機構９ａ’側のロッド部材（図示せず）を作動させるためのアクチュエータである。
【００６７】
携帯電話１’の開閉およびロック／アンロック操作の際の処理動作の流れは基本的に図４のフローチャートと同様である。
【００６８】
但し、この実施形態の携帯電話１’はサブディスプレイを備えていないので、ステップａ４における「図形又は文字を入力して下さい」等のガイダンスメッセージの表示、ステップａ７における「確認のため同じ図形又は文字を入力して下さい」等のガイダンスメッセージの表示、ステップａ１２における「ロック時に使用したものと同じ図形又は文字を入力して下さい」等のガイダンスメッセージの表示は、何れも、メインディスプレイ６’を介して行われることになる。
この実施形態では、携帯電話１’を閉じて収納状態とした状況下でメインディスプレイ６’が外側に位置し、かつ、タッチセンサ１６’もメインディスプレイ６’と同じ側の面に配置されているので、ユーザはメインディスプレイ６’のガイダンスメッセージを参照しながらタッチセンサ１６’やサイドスイッチ１７’を的確に操作することができる。
【００６９】
携帯電話１’に関わる全体的な作用および効果に関しては、図１〜図４を参照して説明した前述の実施形態と同様である。但し、この実施形態においては、携帯電話１’の使用時および収納時の何れの状態でもメインディスプレイ６’が外側に位置するため、メインディスプレイ６’の覗き込み其れ自体を防止することはできない。
【産業上の利用可能性】
【００７０】
発明の適用対象としての携帯端末としては、携帯電話のほか、ノートパソコン，ＰＨＳ（Personal Handy phone System），ＰＤＡ（Personal Data Assistance,Personal Digital Assistants）等のものが考えられる。
【図面の簡単な説明】
【００７１】
【図１】携帯端末の一種である折り畳み式の携帯電話に本発明を適用した場合の一実施形態について示した三面図であり、図１（ａ）は同実施形態の折り畳み式の携帯電話を開いた使用状態で示した平面図、図１（ｂ）は同携帯電話を閉じた収納状態で示した正面図、図１（ｃ）は同携帯電話を閉じた収納状態で示した平面図である。
【図２】同実施形態の携帯電話における固定手段の構成の概略について示した断面図である。
【図３】同実施形態の携帯電話を全体的に制御する制御部の構成の概略を示した機能ブロック図である。
【図４】同実施形態の携帯電話の開閉およびロック／アンロック操作について簡略化して示したフローチャートである。
【図５】スライド式の携帯電話に本発明を適用した場合の一実施形態について示したもので、図５（ａ）は同実施形態のスライド式の携帯電話をスライドさせて開いた使用状態で示した平面図、図５（ｂ）は同携帯電話を閉じた収納状態で示した右側面図、図５（ｃ）は同携帯電話をスライドさせて開いた使用状態で示した右側面図である。
【図６】同実施形態の携帯電話を全体的に制御する制御部の構成の概略を示した機能ブロック図である。
【符号の説明】
【００７２】
１，１’  携帯電話（携帯端末）
２，２’  テンキー（主要なキー，設定モード切替手段）
３  十字キー（主要なキー）
４  決定キー（主要なキー）
５，５’  主筐体部
５ａ，５ａ’  主要なキーを配置した一面（キー配置面）
６，６’  メインディスプレイ
７，７’  副筐体部
８  ヒンジ
９，９’  固定手段
９ａ，９ａ’  ロック機構
９ｂ，９ｂ’  係止片
１０  孔
１１  ロッド部材
１２，１２’  アクチュエータ
１３  カメラ
１４  サブディスプレイ
１５  着信表示ＬＥＤ
１６，１６’  タッチセンサ
１７，１７’  サイドスイッチ
１８，１８’  マイク
１９，１９’  スピーカ
２０，２０’  アンテナ
２１，２１’  制御部
２２  カメラ制御部
２３  画像処理部
２４，２４’  データメモリ部（不揮発性メモリ）
２５，２５’  音声処理部
２６，２６’  送受信部
２７，２７’  ＲＯＭ
２８，２８’  開閉センサ
ＣＰＵ  設定モード移行手段，認証情報設定手段，ロック手段，アンロック手段
【図１】
2008092081.tif 000003
【図２】
2008092081.tif 000004
【図３】
2008092081.tif 000005
【図４】
2008092081.tif 000006
【図５】
2008092081.tif 000007
【図６】
2008092081.tif 000008